(57)【特許請求の範囲】
【請求項１】
回転盤上に設置される、複数のチャンバと前記チャンバを連結させる流路とを有し、検体中の被検物質を測定するためのデバイスであって、前記複数のチャンバの少なくとも１つのチャンバには、前記被検物質と特異結合する第１特異結合物質と前記被検物質とを混合し、結合複合体と未結合物質とを生成させて、前記結合複合体と前記未結合物質とを分離させるためのＢＦ分離チャンバがあり、ＢＦ分離チャンバには、前記被検物質もしくはそれに類似する物質、或いは、前記被検物質と特異結合する第２特異結合物質のいずれか一方を感作させた担体を含み、結合複合体もしくは未結合物質の混合液に担体を作用させた後に、回転条件化において、担体を遠心力により分離することにより前記結合複合体と前記未結合物質とを分離することを特徴とするＢＦ分離測定デバイス。
【請求項２】
請求項１記載のＢＦ分離チャンバには、回転条件化において、担体を遠心力により分離された後の上清液を別のチャンバに移送させることができる流路が設けられていることを特徴とする請求項1記載のＢＦ分離測定デバイス。
【請求項３】
請求項２記載の上清液を移送させた別のチャンバには、上清液内のＢＦ分離された物質を検出するための物質を含むことを特徴とする請求項２記載のＢＦ分離測定デバイス。
【請求項４】
請求項1記載のＢＦ分離チャンバには、回転条件化において、担体を遠心分離された後のチャンバ内底面付近に集められた担体を別のチャンバに移送させることを特徴とする請求項１記載のＢＦ分離測定デバイス。
【請求項５】
請求項４記載の担体を移送させた別のチャンバには、担体上に捕捉されたＢＦ分離された物質を検出するための物質を含むことを特徴とする請求項３記載のＢＦ分離測定デバイス。
【請求項６】
請求項１から５記載の担体に感作される第２特異結合物質は、前記被検物質を介して前記第１特異結合物質とサンドイッチ型の結合複合体を形成可能である請求項１から５記載のＢＦ分離測定デバイス。
【請求項７】
請求項１から６記載の担体を凝集させることができる物質をさらに含むことを特徴とする請求項１から６記載範囲のＢＦ分離測定デバイス。
【請求項８】
請求項１から７記載の第１結合物質は、検出信号を発する物質を含んでいることを特徴とする請求項１から７記載のＢＦ分離測定デバイス。
【発明の詳細な説明】
【技術分野】
【０００１】
本発明は、検体中に含まれる被検物質を測定するためのデバイスに関する。
【背景技術】
【０００２】
近年、分析・解析・検査技術の進歩により、様々な物質を測定することが可能となってきている。特に、臨床検査分野においては、生化学反応、酵素反応、もしくは、免疫反応等の特異反応に基づく測定原理の開発により、病態に反映する体液中の物質を測定できるようになった。
【０００３】
その中で、ポイント・オブ・ケア・テスティング（ＰＯＣＴ）と呼ばれる臨床検査分野が注目されている。ＰＯＣＴは、簡易迅速測定を第一とし、検体を採取してから検査結果が出るまでの時間の短縮を目的とした取り組みが行われている。したがって、ＰＯＣＴに要求されるのは、簡易な測定原理であり、小型で携帯性があり、操作性が良い測定装置である。
【０００４】
近年の技術開発の進歩により、例えば、血糖センサに代表されるように簡単に測定できる小型の測定機器が開発されてきている。ＰＯＣＴの波及効果は、迅速な測定結果の取得による迅速正確な診断を可能とすることに加え、検査にかかるコストの低減、血液等の検体の少量化に伴う被検者の負担の軽減および感染性廃棄物の少量化等が考えられる。現在、臨床検査ではＰＯＣＴへの移行が急速に起こっており、そのニーズに応えるべくＰＯＣＴ対応測定機器の開発が行なわれている。
【０００５】
その中で、ＰＯＣＴ測定デバイスに適用される測定デバイスとして、免疫測定原理を利用するものも多い。免疫測定法は、主に、比濁法、比朧法、ラテックス凝集法などのＢＦ分離を必要としない測定法と、酵素免疫測定法、蛍光測定法、発光測定法などの免疫複合体と未反応物質との分離（ＢＦ分離：ＢＦは、Ｂｉｎｄｉｎｇ／Ｆｒｅｅの略）を必要とする測定法に大別されており、各工程を自動化された機器から、免疫クロマトのような濾紙上に試薬を担持させたドライケム方式のデバイスが提供されている。
【０００６】
特に、ＢＦ分離を必要とする免疫測定法は、洗浄等の工程を十分に行わないとＳ／Ｎ比を悪化させるため、重要な工程である。最近では、磁気微粒子を使用して、高度にシステム化されたＢＦ分離工程を含む免疫測定装置が提案されている。
【０００７】
それは、下記の工程を含む試料中の対象検体に対する結合アッセイを遂行する方法で、（ａ）下記の組成物の調製：（ｉ）当該試料（ii）電気化学的ルミネッセンスが誘発され得る標識化合物と結合した成分を含有するアッセイ履行物質、および（iii）検体および／または上記アッセイ履行物質と特異的に結合し得る複数の磁気感応性懸濁粒子；（ｂ）かかる組成物をインキュベートして粒子と上記標識化合物を含有する複合体を形成させる；（ｃ）上記組成物をアッセイ用セルに導入する；（ｄ）かかる粒子に磁場を作用させて電極面に上記複合体を捕集する；（ｅ）該捕集の間に、または該捕集の後に、上記電極に電圧を印加して、集められた上記複合体中の標識化合物にルミネッセンスを誘起させる；および（ｆ）電極面で放射されるルミネッセンスを計測して試料中の対象検体の存在を計測する；但し、南北極を交互配向した複数の磁石を水平に配向した電極面の下方に垂直に配置するものである。
【０００８】
ここで示されているのは、電気化学発光を利用したものであるが、化学発光や酵素反応であっても、効果的な一つのＢＦ分離方法である。
【特許文献１】特表平６−５０８４０６号公報
【発明の開示】
【発明が解決しようとする課題】
【０００９】
しかしながら、磁石等を利用した磁気微粒子の固定によるＢＦ分離工程に代表される、所謂臨床検査機器によく見られる各測定工程が自動化された測定機器は、その構成を複雑にし、高価なものとなる。また、全ての工程が自動化されるため、機器は大型化してしまう。最近では、卓上型のものも出てきておるが、それでも卓上において大部分を占めてしまう。
【００１０】
本発明は検体中に含まれる被検物質を測定するためのデバイスにおいて、簡易にＢＦ分離を行うことを目的とする。
【課題を解決するための手段】
【００１１】
回転盤上に設置される、複数のチャンバと前記チャンバを連結させる流路とを有し、検体中の被検物質を測定するためのデバイスであって、前記複数のチャンバの少なくとも１つのチャンバには、前記被検物質と特異結合する第１特異結合物質と前記被検物質とを混合し、結合複合体と未結合物質とを生成させて、前記結合複合体と前記未結合物質とを分離させるためのＢＦ分離チャンバがあり、ＢＦ分離チャンバには、前記被検物質もしくはそれに類似する物質、或いは、前記被検物質と特異結合する第２特異結合物質のいずれか一方を感作させた担体を含み、結合複合体もしくは未結合物質の混合液に担体を作用させた後に、回転条件化において、担体を遠心力により分離することにより前記結合複合体と前記未結合物質とを分離する。
【００１２】
本構成によって、検体中に含まれる被検物質を測定するためのデバイスにおいて、簡易にＢＦ分離を行うことができる。
【発明の効果】
【００１３】
本発明のＢＦ分離デバイスによれば、回転制御することのみで、免疫測定法の重要な前処理工程であるＢＦ分離工程を実施することができるので、より簡易な測定デバイスが提供できる。また、回転制御を利用するので、これにより、血球分離等の他の前処理工程を合わせて実施でき、さらに、回転により流体移送・停止を制御することができるので、本発明の測定デバイスに、検体を点着することのみで測定操作を簡潔させることができ、効果的なＰＯＣＴ機器を提供することができる。
【発明を実施するための最良の形態】
【００１４】
本発明の実施の形態として、まず、ＢＦ分離デバイスのしくみについて説明する。回転盤上に設置される、複数のチャンバと前記チャンバを連結させる流路とで構成される、検体中の被検物質を測定するためのデバイスであって、前記複数のチャンバの少なくとも１つのチャンバには、前記被検物質と特異結合する第１特異結合物質と前記被検物質とを混合し、結合複合体と未結合物質とを生成させて、前記結合複合体と前記未結合物質とを分離させるためのＢＦ分離チャンバがあり、ＢＦ分離チャンバには、結合複合体もしくは未結合物質のいずれか一方のみと結合する第２特異結合物質を感作させた担体を含み、結合複合体もしくは未結合物質の混合液に担体を作用させた後に、回転条件化において、担体を遠心力により分離することにより前記結合複合体と前記未結合物質とを分離することができるＢＦ分離測定デバイスである。
【００１５】
これにより、例えば、大型自動化機器にみられる磁気微粒子の磁気利用やビオチン・アビジンの相互作用の利用等による特別な試薬やそれに付随する複雑な機構を有するＢＦ分離工程を必要とせずに、回転制御のみでＢＦ分離を実施することができる。
【００１６】
本発明のデバイスで示されるＢＦ分離の最も重要なポイントは、回転に伴う遠心力と、遠心力により外周方向へ集めさせることができる担体の使用である。
【００１７】
一般的に、被検物質と第１特異結合物質との結合反応は平衡反応が基本であり、前記結合反応の反応系内には、被検物質と第１結合物質との結合複合体と、結合複合体に使用されずに残っている未結合物質の被検物質および第１結合物質である３種類の物質が存在していることになる。この際、結合量を検出する場合、第１結合物質もしくは被検物質のいずれかと結合することができる、何らかの検出信号を発することのできる物質を含む第２結合物質を使用するが、前記結合複合体と前記未結合物質を分離しないとＳ／Ｎ比が悪くなり、正確な測定できなくなる。
【００１８】
そこで、本発明のデバイスには、結合複合体もしくは未結合物質を捕捉する機能を有する担体を用いて、担体に前記結合複合体もしくは未結合物質のいずれかを捕捉し、その後、デバイスを回転させて遠心力で底面付近に集めることにより分離するのである。分離後は、回転を停止させて、分離境界面より内周側から出る流路内に毛細間現象等により導入することができる構成を構築すれば、さらに回転させることのみで、分離境界面より内周側の液は別のチャンバへ移送させることができ、ＢＦ分離を簡易に完了することができるのである。
【００１９】
従って、本発明の担体の条件、例えば、重さや材質等は、遠心力により沈降可能な条件が選択される。
【００２０】
さらに、小さな遠心力で沈降できれば、分離工程の時間の短縮や回転させる機器等の負荷の軽減につながるので、重さは重ければ重い程よく、材質はその比重が重いものであるほうが良好である。また、担体には、結合複合体もしくは未結合物質を捕捉する機能を有する必要があるため、捕捉対象となる物質と特異結合物質を感作する必要がある。
【００２１】
以上の点から考えると、例えば、ラテックス粒子や金属コロイド、あるいは化学結合官能基を有する担体等が好ましい。また、粒子の大きさも遠心力の影響の受けやすさから考えると大きさは大きいほうが好ましい。ただし、担体の大きさが大きくなると捕捉系内における担体の表面積が小さくなるため、担体に感作される特異結合物質量が少なくなる。よって、目的とする被検物質の量を十分に考慮した上で、遠心力による沈降と捕捉量との最適な条件を選択するべきである。
【００２２】
本発明のＢＦ分離チャンバでＢＦ分離工程後は、一つの形態例として担体を遠心力により分離された後の上清液を別のチャンバに移送させることができる流路が設けられている。これにより、その後の検出を簡易に実施することができる。
【００２３】
即ち、上清液を移送させた別のチャンバには、上清液内のＢＦ分離された物質を検出するための物質を含む。あるいは、別の形態例として担体を遠心分離された後のチャンバ内底面付近に集められた担体を別のチャンバに移送させることもありうる。即ち、担体上に捕捉されたＢＦ分離された物質を検出するための物質を含む。
【００２４】
本発明の回転制御によるＢＦ分離工程は、例えば、次の２つのパターンに代表される。２つのパターンとは、ＢＦ分離工程後に上清液側を別のチャンバへ移送するパターンと、ＢＦ分離工程後に担体側を別のチャンバへ移送するパターンである。
【００２５】
前者の場合は、例えば、図１に示す形態で説明される。図1は本発明の測定デバイスの流路構成図の一例を上から見た図を示す。
【００２６】
即ち、検体中の被検物質と、被検物質と特異結合する第１特異結合物質と、結合複合体と未結合物質のいずれかを特異的に捕捉するための物質が感作されている担体とを混合する混合チャンバ１１、前記混合チャンバでの混合液をＢＦ分離するためのＢＦ分離チャンバ１２と、ＢＦ分離後の上清液を受け入れるための検出チャンバ１３があり、それぞれが流路１４、１５で連結させている。
【００２７】
ここで、ＢＦ分離によりＢＦ分離チャンバ１２の底面付近に集められる担体が、流路１５を通って検出チャンバ１３へ流れ込まないような位置に設定することが重要である。従って、ＢＦ分離後の担体である固相領域と液相領域の界面より上側（内周側）に設定する。
【００２８】
後者の場合は、例えば、図２で示される形態で説明される。図２は本発明の測定デバイスの流路構成図の一例を上から見た図を示す。
【００２９】
即ち、検体中の被検物質と、被検物質と特異結合する第１特異結合物質と、結合複合体と未結合物質のいずれかを特異的に捕捉するための物質が感作されている担体とを混合する混合チャンバ２１、前記混合チャンバでの混合液をＢＦ分離するためのＢＦ分離チャンバ２２と、ＢＦ分離後の上清液を受け入れるための廃液チャンバ２３があり、さらに、担体側を受け入れるための検出チャンバ２４があり、それぞれが、流路２５、２６、２７で連結させている。
【００３０】
ここで、ＢＦ分離により生じるＢＦ分離チャンバ２２での液相部分を、流路２６を通して廃液チャンバ２３へ流し込み、その後、検出チャンバ２４へ担体のみを流し込む。この場合、それぞれのチャンバを連結させる流路２６、２７は逆Ｕ字型のように、チャンバから内周側へ出て、その後折り返して、外周側に設置されるチャンバへつながるような形態を取っていることが重要で、その折り返し部である２８と２９、そしてＢＦ分離チャンバ２２の上面２０の位置関係が重要である。この場合、内周側から折り返し部２９、２８、上面２０の順に配置されることが好ましい。
【００３１】
これにより、遠心力を高い状態から低い状態へ勾配をかけることにより、ＢＦ分離、上清液の移送、担体の移送を順次行うことができる。
【００３２】
本発明の測定デバイスに構成されるチャンバには、空気の抜け路が重要で、空気孔が形成されている。
【００３３】
本発明の流路は、チャンバの上面（回転中心に近い側の端面）より内周側、すなわち回転中心に近い側の所定位置まで上り、その後、チャンバからの流路の出口の位置より外周側の位置まで下るように形成されている。なお、ここで下向きとは、デバイス本体の回転によってデバイス内の流体に遠心加速度が作用する向きであり、上向きはその逆の向きである。
【００３４】
具体的な流路形態としては、例えば、逆Ｕ字形のような流路が採用できる。この場合に重要なのは、逆Ｕ字形の頂点がチャンバの上面より内周側に位置することである。このような形態にすることによって、デバイス本体の回転中において、チャンバ内に液体を保持することができる。
【００３５】
さらに、回転を停止することで、流体が遠心力から解放されたとき、毛細管現象により次の工程の場に流体を移送させることができる。仮に、回転中においてチャンバ内に液体を保持せず、連続的に移送させるのであれば、逆Ｕ字形の頂点をチャンバの上面より内周側に位置させない（チャンバの上面位置又はそれより外周側に位置させる）ようにすればよい。
【００３６】
チャンバから出る流路上には、その流路より大きな厚みの領域（以下、キャピラリーバルブという）を適宜の位置に設けている。上記に示す図１および図２は、ここに示す基本パーツの組合せにより実施することができる。
【００３７】
上記に示すＢＦ分離測定デバイスの基本パーツの形態例を、図３や図４を例にして詳細に記載する。図３にはそのチャンバおよび流路を構成する第１の流路パーツを、図４にはその流路中に厚みの大きい部分であるキャピラリーバルブを配した第２の流路パーツを示す。
【００３８】
図３に示す流路パーツ３１には、希釈、混合、反応、検出等の分析工程を達成するための場となるチャンバ３１２と、このチャンバ３１２に連通するように形成された流路３１１および空気孔３１３とが、それぞれ形成されている。なお、チャンバ３１２は流路３１１が接続された部位から離隔する側に他の流路接続する際に使用する延長部分３１２ａを有し、空気孔３１３はこれらの両者から離隔するよう配置されている。
【００３９】
この流路パーツ３１では、逆Ｕ字形の流路の頂点部３１４をチャンバ３１２の上面３１５より内周側に設定することで、回転中に生じる遠心力によってチャンバ内に流体を保持することができる。なお、連続的に流体を流し続けるには、逆に、逆Ｕ字流路の頂点部３１４をチャンバ３１２の上面３１５より外周側に設定すればいい。
【００４０】
本実施例の場合は、一旦、チャンバ３１２内に流体を保持する必要があるので、逆Ｕ字流路の頂点部３１４をチャンバ３１２の上面３１５より内周側に設定している。
【００４１】
図４に示す流路パーツ４２は、全体として略逆Ｕ字形をなしその両端が全体形状の短手方向一方側に傾けられた流路４２１と、この流路４２１上に配置されて流路４２１より厚み（断面積）の大きい空間を形成しているキャピラリーバルブ４２２とを有している。流路パーツ４２のキャピラリーバルブ４２２は、毛細管現象を利用した流体の移送に対し流体を静止させる静止手段であり、その流路の厚み（断面積）を前後の流路より十分に大きくすることにより、デバイス本体の回転を停止した後に毛細管現象により流路４２１を流れる流体の流れを停止させ、所要の区間における流体を静止させることができる。本実施例においては、流体を静止したい箇所、タイミング、区間を考慮して適宜キャピラリーバルブを設けている。
【００４２】
図５および図６は、図３、４で示す基本的な流路パーツを有するデバイスの作製手順を説明する図であり、これらの図に示すように、本実施例の検査用デバイスは、３層構造となっている。なお、図５は流路パーツ３１の作製方法を示す図で、同図（ｂ）はその完成状態を示す図１のII-II矢視断面図となっている。また、図５（ａ）は流路パーツ１２の作製方法を示す図で、同図（ｂ）はその完成状態を示す図１のIII-III矢視断面図となっている。
【００４３】
本発明の結合物質の反応とは、例えば、抗原抗体反応に示される特異結合反応や、ＤＮＡの塩基配列による特異結合反応を示すが、これらの結合反応は、その結合反応そのものにより結合したことを示す信号を出さないので、何等かの形態で、ＢＦ分離後に結合反応量を検出する必要がある。
【００４４】
例えば、上記に示すように、結合複合体に含まれる第１結合物質に酵素や化学発光基質等を標識させておき、発色反応や発光反応させ、光学的に検出する。もしくは、蛍光性物質を標識しておくことで、蛍光測定により検出することが考えられる。そこで、本発明のデバイスでは、ＢＦ分離チャンバでのＢＦ分離工程に引き続き、ＢＦ分離後の物質を移送させて、検出反応を実施させるための検出チャンバを設ける必要がある。上記の例でいうと、前記検出チャンバ内に、例えば、第１結合物質に含まれる酵素や化学発光基質と反応する物質を乾燥状態で保持させておけばよい。ＢＦ分離後の液体が移送されてくれば、直ちに発色反応や発光反応が起こり、これを光学的に検出すればよい。蛍光性物質の場合は、移送させた検出チャンバ内に励起光を照射して、蛍光を発し、それを検出すればよい。
【００４５】
本発明のＢＦ分離による測定方法とは、抗原抗体反応原理に基づくイムノアッセイのものが多く、より一般的である。例えば、ラジオイムノアッセイ（ＲＩＡ）、酵素免疫測定法（ＥＩＡ）酵素免疫固相測定（ＥＬＩＳＡ）、化学発光免疫測定法（ＣＬＩＡ）、化学発光酵素免疫測定法（ＣＬＥＩＡ）、電気化学発光免疫測定法（ＥＣＬＩＡ）等である。あるいは、簡易な免疫クロマト法もある。これらの測定法は、ＢＦ分離の後に、放射能検出、発色検出、発光検出により、結合量を測定、もしくは未結合物質量を測定することで、対象となる被検物質の存在やその量を測定するものである。
【００４６】
以上より、本発明の検出物質あるいは検出反応とは、酵素反応にかかわるもの、化学発光にかかわるもの、電気化学発光にかかわるもので、ＢＦ分離後に移送された検出チャンバ内で実施されうるものである。
【００４７】
本発明の担体に感作される第２特異結合物質は、被検物質と特異結合する物質である。この場合の測定フローを図５に示す。まず、検体中の被検物質５１と第１特異結合物質５２を混合させた後に、前記担体に感作される第２特異結合物質と作用させる（図５ａ）。
【００４８】
これにより、担体上で、被検物質を介してサンドイッチ型の結合複合体を形成させることができる（図５ｂ）。
【００４９】
その後、回転させることにより、遠心力により担体はＢＦ分離チャンバ内で底面付近に集められ、サンドイッチ型の結合複合体とそれ以外の物質を分離することができる（図５ｃ）。
【００５０】
分離後は、上記に示す担体側を別の検出チャンバへ移送させるパターン図２のＢＦ分離測定デバイスを用いて検出チャンバへ移送させ、前記検出チャンバ内でサンドイッチ型の結合複合体量を第１特異結合物質の５５により測定する。
【００５１】
本発明の担体に感作される第２特異結合物質は、前記第１結合物質と結合する被検物質、もしくはそれに類似する物質である。この場合の測定フローを図６に示す。まず、検体中の被検物質６１と第１特異結合物質６２を混合させた後に、前記担体に感作される第２特異結合物質６３と作用させる（図６ａ）。
【００５２】
これにより、混合系内で競合反応系を構築させ、被検物質の量に応じて、担体上の第１結合物質の量が少なくなる。あるいは、液相中の第１結合物質の量が多くなる（図６ｂ）。
【００５３】
その後、回転させることにより、遠心力により担体はＢＦ分離チャンバ内で底面付近に集められ、固相と液相に分離される（図６ｃ）。
【００５４】
分離後は、上記に示す担体側を別の検出チャンバへ移送させるパターンのＢＦ分離測定デバイスを用いて検出チャンバへ移送させ、前記検出チャンバ内で担体上の第１結合物質の６５を測定する。あるいは、液相側を検出チャンバへ移送させるパターンのＢＦ分離測定デバイスを用いて検出チャンバへ移送させ、前記検出チャンバ内で液相中の第１結合物質の６５を測定する。
【００５５】
本発明の担体は、さらに凝集させることができる物質を含まれていてもよい。これにより、担体が凝集により大きくなり、小さい遠心力で、しかも短時間でＢＦ分離工程を完了させることができる。凝集させる物質とは、例えば、別の粒子に感作された第１特異物質もしくは、それに類するものである。
【００５６】
本発明のＢＦ分離測定デバイスで測定対象となる検体は、例えば、血液検体や尿検体等が上げられる。血液検体の場合は、赤血球細胞が含まれ、前記赤血球細胞が測定に悪影響を及ぼす場合がある。一般的に血液検体の場合は、分析・測定に先立ち、遠心分離等により赤血球を除去する。
【００５７】
本発明の測定デバイスは、回転条件化による回転制御を基本としているので、ＢＦ分離に先立ち、遠心分離を行うことができる。これにより、１ステップ操作で実施することができる簡易な測定デバイスを作製することができるのである。
【００５８】
本発明のＢＦ分離測定デバイスにおいて、測定対象となる被検物質は、血液中の血漿成分や血清成分、あるいは赤血球細胞内成分である蛋白質やホルモン等がある。
【００５９】
さらに、血液中だけでなく、尿、涙、汗、唾液中の蛋白質やホルモン等も対象となる。即ち、現在、臨床化学測定分野で測定されている対象物で、免疫反応のような結合反応原理により測定されているものはすべて、本発明の測定デバイスの測定対象物となりうる。
【００６０】
本発明の作製工程の形態としては、例えば図７に示す。なお、図７（ａ）は流路パーツ図３の作製方法を示す図で、同図（ｂ）はその完成状態を示す図３のII-II矢視断面図となっている。
【００６１】
代表例として、図７を用いて図３の流路パーツの作製方法について詳細に説明する。
【００６２】
チャンバ３１２および流路３１４を形成するに際して、図７（ａ）中の切り取り工程Ｃに示すように、両面粘着性シート７１を用いて、チャンバ３１２および流路３１１に対応する部分７９を切り取った。この切り取りは、下面の接着剤層の剥離紙７４以外の層に切り込みをいれ、チャンバおよび流路となる部分を剥ぎ取るようにして行った。
【００６３】
一方、トップカバー７６には、予め空気孔３１３を開けておき、チャンバ３１２に対応する凹部３１２Ｃを成形しておく。
【００６４】
こうして調整した３つの層を、両面粘着性シート７５を介して貼り合せて基本流路パーツを作製した。ここには、記載していないが、この３層の部材を貼り合せる前に、必要な試薬を乾燥状態にして入れ込めば、本発明のＢＦ分離測定デバイスを得ることができる。
【００６５】
本発明の測定デバイスを回転制御する装置を図８に示す。図８の回転装置８１は、デバイス８０（デバイス本体の概略側面形状を示している）を固定するクランパー８１１と、デバイス８０を支持するターンテーブル８１３と、ターンテーブル８１３を回転させるスピンドルモーター８１４と、スピンドルモーター８１４の回転を制御する制御デバイス８１５とで構成されている。ここに示さないが、光学系も構成されておれば、検出器としても使用でき、いわゆるデバイスの読取機器として簡易な測定システムを提供することができる。
【産業上の利用可能性】
【００６６】
本発明にかかるＢＦ分離測定デバイスはその回転操作の過程において、簡易にＢＦ分離工程を実施することができ、主として臨床検査分野で使用されるＰＯＣＴ分野の検査デバイスに有用である。
【図面の簡単な説明】
【００６７】
【図１】本発明の測定デバイスの流路構成図の一例を上から見た図
【図２】本発明の測定デバイスの流路構成図の一例を上から見た図
【図３】本発明の基本流路パーツであるチャンバと流路の関係を示す図
【図４】本発明の基本流路パーツであるキャピラリーバルブと流路の関係を示す図
【図５】本発明のＢＦ分離工程法の一例を示した図
【図６】本発明のＢＦ分離工程法の一例を示した図
【図７】作製工程を示す図
【図８】デバイスを回転制御するための装置を示す図
【符号の説明】
【００６８】
１１，２１    混合チャンバ
１２，２２    ＢＦ分離チャンバ
１３，２４    検出チャンバ
１４，１５，２５，２６，２７    流路
２３    廃液チャンバ
２８，２９    折り返し部
３１，４２    流路パーツ
３１１，４２１    流路
３１２    チャンバ
３１２ａ    延長部分
３１３    空気孔
３１４    頂点部
３１５    上面
４２２    キャピラリーバルブ
５１，６１    被験物質
５２，６２    第１特異結合物質
６３    第２特異結合物質
７１    両面粘着性シート
７４    剥離紙
７６    トップカバー
７９    流路３１１に対する部分
【図１】
0004518015.tif 000002
【図２】
0004518015.tif 000003
【図３】
0004518015.tif 000004
【図４】
0004518015.tif 000005
【図５】
0004518015.tif 000006
【図６】
0004518015.tif 000007
【図７】
0004518015.tif 000008
【図８】
0004518015.tif 000009